(57)【要約】【課題】従来技術の番組表拡大表示機能をもつ映像出力装置では、ハイビジョン信号を出力して解像度の低いモニタに表示させているときに、番組表拡大表示／通常表示を切替えるために表示させるメニュー画面自体がハイビジョン信号で出力されるので、文字がつぶれて表示されることがあり、番組表拡大表示／通常表示を選択し難いまたは選択できないことがあるという問題があった。【解決手段】上記課題を解決するために本発明の映像出力装置は、番組表などを拡大表示するための拡大部を、映像出力装置を制御するためのリモコンのボタンや映像出力装置に設置したボタンによりメニュー画面を表示させずに起動させ、拡大した映像を出力できる構成とすることを特徴とする。【選択図】図４
2009044265.tif 000002
【特許請求の範囲】
【請求項１】
画面表示のためにハイビジョン用の表示信号を出力する表示信号出力部と、
出力される表示信号を画面表示を拡大した拡大表示信号とするための拡大部と、
拡大部起動の操作をユーザから受付けるための第一ボタンを備えた第一ボタン部と、
を有する出力装置。
【請求項２】
拡大部が起動されていることをユーザに報知するためのモード報知部をさらに有する請求項１に記載の出力装置。
【請求項３】
拡大部による拡大動作を停止させるための操作をユーザから受付けるための第二ボタンを備えた第二ボタン部をさらに有する請求項１又は２に記載の出力装置。
【請求項４】
拡大部を停止させるためのタイマー部をさらに有する請求項１から３のいずれか一に記載の出力装置。
【請求項５】
画面表示が予め定められた所定のコンテンツの表示であるか判断する表示画面判断部をさらに有し、
第一ボタン部は、表示画面判断部での判断結果が所定のコンテンツの表示であるとの判断結果である場合にのみ拡大部起動の操作をユーザから受付ける条件付受付手段を有する請求項１から４のいずれか一に記載の出力装置。
【請求項６】
拡大部起動の操作をユーザから受付けるための第一ボタンを備えた第一ボタン部を有する出力装置の制御方法であって、
第一ボタンの押下を検知する第一押下検知ステップと、
第一押下検知ステップにて検知された押下に応じて出力装置から出力される表示信号を画面表示を拡大した拡大表示信号とするための拡大ステップと、
を有する出力装置の制御方法。
【請求項７】
拡大部起動の操作をユーザから受付けるための第一ボタンを備えた第一ボタン部を有する出力装置の制御方法であって、
第一押下検知ステップにて検知された押下に応じて拡大部が起動されていることをユーザに報知するためのモード報知ステップをさらに有する請求項６に記載の出力装置の制御方法。
【発明の詳細な説明】
【技術分野】
【０００１】
ハイビジョン映像信号の出力装置に関する。
【背景技術】
【０００２】
映像出力装置からハイビジョン信号（１９２０×１０８０などの高解像度の映像信号）を出力して解像度の低いモニタ（例えば６４０×４８０ドットのモニタ）に表示させると、特に番組表など文字の小さい画像では文字がつぶれて表示され視聴者が見難くなる場合がある。その問題を解決するため、予めユーザがメニュー画面などで番組表拡大表示を選択しその後ユーザが番組表を表示させた際にユーザが番組表が拡大された状態で見ることができる、という番組表拡大機能をもつ映像出力装置があった。
【特許文献１】特開２００１−１８６４３６
【発明の開示】
【発明が解決しようとする課題】
【０００３】
一般的に、番組表拡大表示機能は、ハイビジョン信号を出力して解像度の低いモニタに表示させる場合であっても、常に機能させておく（すなわち番組表拡大表示が選択された状態にしておく）ことは少ない。ハイビジョン信号を出力して解像度の低いモニタに表示させるときでも、ユーザは場合に応じて番組表拡大表示を選択したり、通常表示を選択したりする。例えば、番組表全体を見たい場合や、一部分のみ見たい場合などがある。
【０００４】
しかし、従来技術の番組表拡大表示機能をもつ映像出力装置では、ハイビジョン信号を出力して解像度の低いモニタに表示させているときに、番組表拡大表示／通常表示を切替えるために表示させるメニュー画面自体がハイビジョン信号で出力されるので、文字がつぶれて表示されることがあり、番組表拡大表示／通常表示を選択し難いまたは選択できないことがあるという問題があった。
【課題を解決するための手段】
【０００５】
上記課題を解決するために本発明の映像出力装置は、番組表などを拡大表示するための拡大部を、映像出力装置を制御するためのリモコンのボタンや映像出力装置に設置したボタンによりメニュー画面を表示させずに起動させ、拡大した映像を出力できる構成とすることを特徴とする。具体的には、本発明の映像出力装置は、画面表示のためにハイビジョン用の表示信号を出力する表示信号出力部と、出力される表示信号を画面表示を拡大した拡大表示信号とするための拡大部と、拡大部起動の操作をユーザから受付けるための第一ボタンを備えた第一ボタン部と、を有することを特徴とする。また、拡大部を、映像出力装置を制御するためのリモコンや映像出力装置に設置したボタンによりメニュー画面を表示させずに停止させ、通常の映像に戻すことができる構成としてもよい。具体的には、本発明の映像出力装置は、拡大部を停止させるための操作をユーザから受付けるための第二ボタンを備えた第二ボタン部をさらに有する構成としてもよい。
【発明の効果】
【０００６】
本発明により、ユーザは番組表などの拡大表示／通常表示の切替え用ボタン（第一ボタンや第二ボタン）押下のみで番組表などの拡大表示／通常表示の切替えを行える。すなわち、ハイビジョン信号を出力して解像度の低いモニタに表示させ番組表などの拡大表示／通常表示を切替える必要性が生じたとき、都度メニュー画面を表示させて切替を行う方法を用いずに番組表などの拡大表示／通常表示の切替えを行える。よって、従来技術でのメニュー画面の文字がつぶれて表示されて番組表などの拡大表示／通常表示の選択が難しい又は選択できないという問題を解決できるという効果を奏する。
【発明を実施するための最良の形態】
【０００７】
以下に本発明の実施形態について図面を参照して詳細に説明する。本発明はこれら実施の形態に何ら限定されるものではなく、その要旨を逸脱しない範囲において、種々なる態様で実施しうるものである。
【０００８】
なお、以下の実施形態と請求項の関係は次の通りである。実施形態１は、主に請求項１と６について説明する。実施形態２は、主に請求項２と７について説明する。実施形態３は、主に請求項３について説明する。実施形態４は、主に請求項４について説明する。実施形態５は、主に請求項５について説明する。
【０００９】
≪実施形態１≫
【００１０】
〈実施形態１の概要〉
【００１１】
本実施形態では、映像出力装置において、番組表などの拡大表示の切替え用ボタン（第一ボタン）を設置することでメニュー画面を表示させて切替を行う方法を用いずに番組表などの拡大表示／通常表示の切替えを行えることを特徴とする。図１、図２、図３に本実施形態の概念図（番組表を拡大表示させるときの例）を示す。図１は番組表の通常表示時の状態（０１０１）と、番組表の拡大表示時の状態（０１０２）を示した概念図である。図２は拡大表示させるための手段（拡大手段）を示した概念図である。図３は番組表拡大表示の切替え用ボタン（第一ボタン：０３０４、０３０５，０３１０、０３１２、０３１４）を示した概念図である。すなわち、本実施形態の概念図では、番組表が通常表示されている時（図１の０１０１）に第一ボタンを押下すると、拡大手段（図２）により、番組表が拡大表示される（図１の０１０２）状態を表している。図１から３は実施形態１の構成で詳細説明する。
【００１２】
〈実施形態１の構成〉
【００１３】
図４に本実施形態の機能ブロック図の一例を示す。図４に示す本実施形態の「映像出力装置」（０４００）は、「表示信号出力部」（０４０１）と、「拡大部」（０４０２）と、「第一ボタン部」（０４０３）と、を有する。
【００１４】
本件発明の構成要素である各部、各手段、各器は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００１５】
本実施形態における「映像出力装置」とは、ハイビジョン映像を外部のモニタなどに出力する装置を指す。映像出力する際、必要ならば様々なコンテンツ（例えば番組表など）が付加されて、映像出力される。
【００１６】
「表示信号出力部」（０４０１）は、画面表示のためにハイビジョン用の表示信号を出力する。ハイビジョン用表示信号は１９２０×１０８０などの高解像度で出力される。ハイビジョン用の表示信号を出力する方法は、周知技術で実現できる方法なので、ここでの説明は省略する。
【００１７】
「拡大部」（０４０２）は、出力される表示信号を画面表示を拡大した拡大表示信号とする。図２は拡大部における拡大手段（通常表示を拡大表示とするための手段）を示した概念図である。「バックバッファ内のデータ内容」（０２０１）は元の画面表示用のバッファ（バックバッファ：グラフィックデータを作成し合成した映像用バッファ）のデータの内容を示し、「フレームバッファ内のデータ内容」（０２０２）は実際の画面に出力される映像用のバッファ（フレームバッファ）のデータの内容を示す。通常表示時は、バックバッファのデータがそのままフレームバッファに転送されて映像出力される。拡大表示時は、バックバッファのあるエリアのみがフレームバッファ全体又はバックバッファよりも広いエリアに転送され（いわゆる拡大処理：スケーリングが行われ）、結果として元の映像が拡大された状態で映像出力される。図２は例としてバックバッファの左上部１／４をフレームバッファに転送したときの状態を示している。本実施形態の拡大手段（「エリア指定方式」）以外の拡大手段（「他の方式」）としては、例えば、バックバッファにおいて拡大データ（文字など）を作成するか既に拡大されたデータをバックバッファに入力し、バックバッファのデータをそのままフレームバッファに転送する手段などが考えられる。ただし、本実施形態の拡大手段（「エリア指定方式」）は、「他の手段」と比較して拡大データを作成する処理時間がかからず画像表示が高速で行えるというメリットがある。
【００１８】
なお、本実施形態における拡大部の拡大手段は上記手段（エリア指定方式）に限定されるものではない。例えば、前述の「他の手段」であっても良い。
【００１９】
「第一ボタン部」（０４０３）は、拡大部起動の操作をユーザから受付けるための「第一ボタン」（０４０４）を備える。図３は番組表拡大表示の切替え用ボタン（第一ボタン）を示した概念図である。図３は例として映像出力装置を制御するためのリモコンに「番組表拡大表示の切替え用ボタン（第一ボタン）」（０３０４、０３０５，０３１０、０３１２、０３１４）を設置した場合を示している。番組表拡大表示の切替え用ボタン（第一ボタン）は、実ボタンであっても良いし、仮想ボタンであっても良い。
【００２０】
ここで「実ボタン」とは、メカニカルスイッチ、メンブレンスイッチ、静電容量無接点方式スイッチなどのユーザの物理的な押下で反応するボタンである。「仮想ボタン」とは、映像出力装置本体の液晶画面やリモコンの液晶画面、映像出力装置に接続されたモニタ画面上などに表示された画面上のグラフィックボタンである。この仮想ボタンは、画面の解像度には影響を受けないボタン、すなわち、画面の解像度が低くてもユーザが容易に認識できるように画面上に大きく表示されたボタンである。例えば、文字などを含まないボタンであれば、文字がつぶれてボタン自体を認識し難くなる可能性が小さいため、なお望ましい。本仮想ボタンは、例えば、タッチパネルをタッチする操作、カーソルキーと決定キーでクリックする操作、マウスでクリックする操作、などの操作により仮想的に押下されるものである。なお、仮想ボタンは接続されているモニターの解像度情報をＨＤＭＩなどにより取得して、その解像度が所定の解像度よりも低い場合にのみ表示されるように設計しても良い。また第一ボタンは通常モードにて表示可能とし、後述する第二ボタン（拡大を停止させる機能）は拡大モードにて表示可能としてもよい。
【００２１】
メニュー画面で拡大表示を選択する方法は、メニュー画面自体に文字を含むため、ハイビジョン信号を出力して解像度の低いモニタに表示させているときは、文字がつぶれて表示されて拡大表示選択が困難な場合がある。しかし、本実施形態のように実ボタンや仮想ボタンで拡大表示を選択できる場合には、そのような問題を回避でき、拡大表示選択を容易に行うことができる。
【００２２】
図３は本実施形態の第一ボタンを実ボタンで実現した例（図３（ａ））と、仮想ボタンで実現した例（図３（ｂ））を示している。図３（ａ）の実ボタンによる第一ボタン（０３０４、０３０５）は、それぞれ「映像出力装置」（０３０１）、映像出力装置を操作するための「リモコン」（０３０２）に備え付けられている。実ボタンの操作により、映像出力装置から出力された映像を表示する「モニタ」（０３０３）の画面を拡大表示させるものである。図３（ｂ）の仮想ボタンによる第一ボタン（０３１０、０３１２、０３１４）は、それぞれ「映像出力装置」（０３０６）の「液晶画面」（０３０９）、「リモコン」（０３０７）の「液晶画面」（０３１１）、「モニタ」（０３０８）の「モニタ画面」（０３１３）上のグラフィックボタンである。仮想ボタンの操作によりモニタ画面を拡大表示させるものである。
【００２３】
仮想ボタンをモニタ画面上のグラフィックボタンとした場合（０３１４）、画面上で大きく表示したとしてもハイビジョン映像を解像度の低いモニタに接続した場合では、ユーザがボタンを認識しにくい場合もある。よって、仮想ボタンを採用する場合には、映像出力装置の液晶画面、又は、リモコンの液晶画面に表示させた方がより良い。さらに、実ボタンの方が仮想ボタンよりも、操作を確実に行えるという点では優れており、実ボタンにより第一ボタンを実現した方がなお良い。
【００２４】
ここで本実施形態では、「拡大部起動」は、ＣＰＵが「第一ボタン押下情報」を第一ボタン部から得たことにより、拡大部を制御して起動させるものとする。
【００２５】
まず、第一ボタン部が「第一ボタン押下情報」をＣＰＵへ送信し、ＣＰＵが「第一ボタン押下情報」を得て、ＣＰＵはそれをきっかけに拡大部を制御して拡大部を起動させる。ＣＰＵと、第一ボタン部、拡大部、などの各処理部との情報送受信、制御方法は、予め割り当てられたアドレスへのデータ送信や割り込み処理などにより行える。これらは従来技術で実現可能なため、詳細説明は省略する。（本明細書の全体を通じて同様である）
【００２６】
なお、映像出力装置には上記以外の機能として「操作キー」が存在しても良い。ここで、「操作キー」とは、具体的には、メニュー表示キー、番組表表示キー、拡大範囲設定キーなどのキーである。「拡大範囲設定キー」とは、ユーザが原画像の拡大範囲を指定するためのキーであり、ＣＰＵはこの指定情報に基づき拡大部へ拡大すべき位置の情報を送信する。
（本明細書の全体を通じて同様である）
【００２７】
〈実施形態１の処理の流れとハードウェア構成〉
【００２８】
図５に本実施形態における処理の流れの一例を示す。また、図６に本実施形態のハードウェア構成の一例を示す。
【００２９】
まず、実施形態１のハードウェア構成について簡単に説明する。図６に示す通り、「映像出力装置」（０６００）は、「表示信号出力部」（０６０１）と、「拡大部」（０６０２）と、「第一ボタン部」（０６０３）と、「ＣＰＵ」（０６１１）と、「プログラムメモリ」（０６１２）と、「データメモリ」（０６１３）と、「操作キー」（０６２８）と、「映像受信部」（０６１７）と、からなる。「表示信号出力部」（０６０１）は、「映像出力器」（０６２４）と、「出力バッファ」（０６２５）と、からなる。「拡大部」（０６０２）は、「合成器」（０６２０）と、「バックバッファ」（０６２１）と、「拡大器」（０６２２）と、「フレームバッファ」（０６２３）と、からなる。「第一ボタン部」（０６０３）は、「第一ボタン」（０６０４）と、「ボタン信号出力器」（０６１４）と、からなる。「映像受信部」（０６１７）は、「入力バッファ」（０６１８）と、「ハイビジョン映像受信器」（０６１９）と、からなる。
【００３０】
次に、実施形態１の処理の流れ（図５）を、本実施形態のハードウェア構成（図６）をもとにして説明する。
【００３１】
本実施形態における処理の流れは、以下に示すステップよりなる。なお、以下に示す処理の流れは、計算機に実行させるためのプログラム、またはそのプログラムが記録された読み取り可能な記録媒体として実施されうる（以下、本明細書における処理の流れの記載についても同様である）。
【００３２】
図６の「ＣＰＵ」（０６１１）は、「第一ボタン部」（０６０３）から第一ボタン押下情報を得たと検知したとき（Ｓ０５０１）、「拡大部」（０６０２）へ拡大表示コマンド出力を行う（Ｓ０５０２）。第一ボタン部にはユーザが拡大表示するための「第一ボタン」（０６０４）と、第一ボタンから押下信号を得てＣＰＵへボタン押下信号を送信する「ボタン信号出力器」（０６１４）と、を有するものとする。また、拡大表示コマンドは、「拡大表示させる」という情報と、「原画像の指定エリア（拡大表示させるエリア）」の情報から構成されるものとする。
【００３３】
次に、前記拡大表示コマンドに基づき、図６の「映像受信部」（０６１７）と、「拡大器」（０６２２）と、「表示信号出力部」（０６０１）とは、受信したハイビジョン映像に必要ならばコンテンツを付加し、拡大表示して映像出力する「拡大表示処理」（Ｓ０５１７）を行う。具体的には、「映像受信部」（０６１７）は「ハイビジョン映像受信器」（０６１９）で得たハイビジョン映像を「入力バッファ」（０６１８）に蓄え、「拡大部」（０６０２）の「合成器」（０６２０）に送る。合成器は「コンテンツ生成器」（０６２６）から得た番組表などのコンテンツと、ハイビジョン映像とを合成した映像を、「バックバッファ」（０６２１）に送る。コンテンツは「操作キー」（０６２８）から得た番組表表示などの指示に基づきコンテンツ生成器が生成するものである。「拡大器」（０６２２）は、ＣＰＵから得た拡大表示コマンドに基づき、バックバッファから指定エリアのデータを「フレームバッファ」（０６２３）の全体又はバックバッファよりも広いエリアに転送する。フレームバッファは「表示信号出力部」（０６０１）の「出力バッファ」（０６２５）に映像出力し、出力バッファから「映像出力器」（０６２４）を通して映像が外部出力される。
【００３４】
さらに、拡大部起動の操作をユーザから受付けるための第一ボタンを備えた第一ボタン部を有する出力装置の制御方法として、以下の処理ステップを実行する。まず、第一ボタンの押下を検知する第一押下検知ステップを有する。また、第一押下検知ステップにて検知された押下に応じて出力装置から出力される表示信号を画面表示を拡大した拡大表示信号とするための拡大ステップを有する。ここで「拡大ステップ」とは、図５における「拡大部へ拡大表示コマンド出力」（Ｓ０５０２）と「拡大表示処理」（Ｓ０５１７）のステップの
両者を含む。
【００３５】
〈実施形態１の効果〉
【００３６】
本発明により、ユーザは番組表などの拡大表示用のボタン（第一ボタン）押下のみでその拡大表示を行える。すなわち、ハイビジョン信号を出力して解像度の低いモニタに表示させ番組表などを拡大表示させる必要性が生じたとき、都度メニュー画面を表示させて拡大表示設定を行う方法を用いずに番組表などの拡大表示を行える。よって、従来技術でのメニュー画面の文字がつぶれて表示されて番組表などの拡大表示設定の選択が難しい又は選択できないという問題を解決できるという効果を奏する。
【００３７】
≪実施形態２≫
【００３８】
〈実施形態２の概要〉
【００３９】
本実施形態では、実施形態１に加え、番組表などが拡大表示されていることをユーザに画面表示などで知らせる機能を付加したものである。図７に本実施形態の概念図を示す。図７は、番組表の通常表示の状態（０７０１）と番組表の拡大表示の状態（０７０２）を示した概念図であり、拡大表示時には"拡大モード"と表示される。ユーザは、拡大モードの表示により現状の表示モードが通常表示か拡大表示かを見た目で知ることができる。
【００４０】
〈実施形態２の構成〉
【００４１】
図８に本実施形態における機能ブロック図の一例を示す。図８に示す本実施形態の「映像出力装置」（０８００）は、「表示信号出力部」（０８０１）と、「拡大部」（０８０２）と、「第一ボタン部」（０８０３）と、「モード報知部」（０８０５）と、を有する。「第一ボタン部」（０８０３）には「第一ボタン」（０８０４）を備える。
【００４２】
本実施形態は、実施形態１で説明した映像出力装置にさらに「モード報知部」（０８０５）を有することを特徴とするものである。「モード報知部」（０８０５）を除く各構成については実施形態１で説明したものと同様であり、既に述べているためここでの説明は省略する。
【００４３】
「モード報知部」（０８０５）は拡大部が起動されていることをユーザに報知する。本実施形態では、ＣＰＵがモード報知部に拡大モードを通知し、それを受けてモード報知部が現在拡大モードであることをユーザへ報知する構成とする。
【００４４】
上記の「拡大部が起動されていること」の情報は、モード報知部によって保持される。具体的には、ＣＰＵが「第一ボタン押下情報」を第一ボタン部から得たとき、ＣＰＵがモード報知部に拡大モードを通知する（同時にＣＰＵよって拡大部が起動される）。モード報知部が拡大モードの通知を受けた後は、モード報知部は拡大モードを保持して拡大モードであることをユーザに報知しつづける。
【００４５】
モード報知部が「拡大部が起動されていることをユーザに報知する」方法としては、例えば、モード報知部が映像に"拡大モード"などの文字や特別なアイコン／ボタンを合成し、ユーザが見ているモニタ画面に"拡大モード"などの文字や特別なアイコン／ボタンを表示させて、ユーザに報知する方法が考えられる。また、ユーザが特別なコンテンツ（例えば番組表など）を表示させている時には、そのコンテンツに応じて通常モードと違いを持たせた表示としても良い。例えば、背景（例えば壁紙など）や、番組表などの枠、番組表などの形や色・構成に関して通常モードと違いを出すことで、ユーザに報知する方法で有っても良い。
【００４６】
以上を具体的に述べると以下のように拡大モードがユーザに通知される。まず、ユーザが第一ボタンを押下して番組表などを拡大表示させたとき、モニタ上に "拡大モード"の文字などがユーザに判りやすく表示される。モニタ画面が拡大表示されたままであると、"拡大モード"の文字などの表示がされたままとなり、ユーザが現在拡大モードであることを常時認識することができる。
【００４７】
〈実施形態２の処理の流れとハードウェア構成〉
【００４８】
図９に本実施形態における処理の流れの一例を示す。「モード検知部へ拡大モード報知画像生成コマンド出力」（Ｓ０９０３）と「拡大モード報知処理」（Ｓ０９１８）以外の処理は実施形態１の図５で説明したものと同様であり、既に述べているためここでの説明は省略する。
【００４９】
図１０に本実施形態におけるハードウェア構成を示す。図６に対し、モード報知部（１００５）と、モード報知部に含まれる「モード報知画像生成器」（１０１６）を追加した構成となっている。
【００５０】
次に、実施形態２の処理の流れ（図９）を、本実施形態のハードウェア構成（図１０）をもとにして説明する。
【００５１】
ＣＰＵは第一ボタン押下情報を受けた後、「拡大部へ拡大表示コマンド出力」（０９０２）を行う。前記コマンドを受けた「拡大部」（１００２）は、「拡大表示処理」（０９１７）を行う。次に、ＣＰＵは「モード検知部へ拡大モード報知画像生成コマンド出力」（Ｓ０９０３）を行う。前記コマンドを受けた「モード報知部」（１００５）は「拡大モード報知処理」（Ｓ０９１８）を行う。
【００５２】
「拡大モード報知処理」（Ｓ０９１８）は具体的には以下の通りである。拡大モード報知画像生成コマンドを受け取ったモード報知画像生成器は、拡大モードの報知画像を生成し（例えば"拡大モード"の文字など）、合成器へ送る。すると合成器にて受信映像やコンテンツと合成され、拡大器などを経て表示信号出力部から報知情報を含んだ映像（例えば拡大された番組表＋"拡大モード"の文字など）が出力されるというものである。
【００５３】
また、拡大部起動の操作をユーザから受付けるための第一ボタンを備えた第一ボタン部を有する出力装置の制御方法として、実施形態１の処理ステップに加え、第一押下検知ステップにて検知された押下に応じて拡大部が起動されていることをユーザに報知するためのモード報知ステップを実行する。ここで「モード報知ステップ」とは、図９における「モード検知部へ拡大モード報知画像生成コマンド出力」（Ｓ０９０３）と「拡大モード報知処理」（Ｓ０９１８）のステップの両者を含む。
【００５４】
〈実施形態２の効果〉
【００５５】
実施形態１の効果に加え、さらに以下の効果を奏する。ユーザが番組表などの映像を見ただけでは現在拡大表示されているのか通常表示されているのか判らなくなり、適正な操作を行えないような場合がある。本実施形態の方法により拡大モードであることをユーザに明示することで上記の状況を回避できるという効果を奏する。
【００５６】
≪実施形態３≫
【００５７】
〈実施形態３の概要〉
【００５８】
本実施形態の概要は、前記実施形態に加え、拡大表示を停止させる（すなわち通常表示させる）ためのボタン（第二ボタン）を設置したことを特徴とするものである。本実施形態は、第一ボタンと第二ボタンの２つのボタンを設定し、拡大表示／通常表示機能を各ボタンに振り分ける構成である。しかし、本実施形態は、上記構成に限定されるものではなく、例えば、１つのボタンのみの設定として、１つのボタンによって拡大表示／通常表示機能をトグルで切替えることができる構成であっても良い。
【００５９】
〈実施形態３の構成〉
【００６０】
図１１に本実施形態における機能ブロック図の一例を示す。図１１に示す本実施形態の「映像出力装置」（１１００）は、「表示信号出力部」（１１０１）と、「拡大部」（１１０２）と、「第一ボタン部」（１１０３）と、「モード報知部」（１１０５）と、「第二ボタン部」（１１０６）と、を有する。「第一ボタン部」（１１０３）には「第一ボタン」（１１０４）を備える。「第二ボタン部」（１１０６）には「第二ボタン」（１１０７）を備える。
【００６１】
本実施形態は、映像出力装置に「第二ボタン」（１１０７）を備えた「第二ボタン部」（１１０６）を有することを特徴とするものである。図１１は実施形態２をベースに第二ボタン部と第二ボタンとを付加した構成としているが、本実施形態は、これに限定されるものでは無く実施形態１から２のいずれか１つをベースとするものである。よって、第二ボタン部と第二ボタンを除く各構成については実施形態１から２のどれか１つであってよい。これらは既に述べた通りであるため、ここでの説明は省略する。
【００６２】
「第二ボタン部」（１１０６）は拡大部の拡大動作を停止させるための操作をユーザから受付けるための「第二ボタン」（１１０７）を備える。拡大部を停止させるための第二ボタン設定したことにより、ユーザは、番組表などの拡大表示から通常表示に戻す場合に第二ボタン押下のみで戻せる。そのため、従来技術のメニュー画面の文字がつぶれて表示されて通常表示設定を選択し難いまたは選択できないという問題を回避できる。
【００６３】
〈実施形態３の処理の流れとハードウェア構成〉
【００６４】
図１２に本実施形態における処理の流れの一例を示す。図１２は実施形態２をベースに、第二ボタン押下情報の検知（Ｓ１２０４）、「拡大部へ通常コマンド出力」（Ｓ１２０５）、「通常表示処理」（Ｓ１２１９）、「モード検知部へ通常モード報知画像生成コマンド出力」（Ｓ１２０６）、「通常モード報知処理」（Ｓ１２２０）を付加した構成としているが、本実施形態は、これに限定されるものでは無く実施形態１又は２のいずれかをベースとするものである。よって、第二ボタン押下情報の検知（Ｓ１２０４）、「拡大部へ通常コマンド出力」（Ｓ１２０５）、「通常表示処理」（Ｓ１２１９）、「モード検知部へ通常モード報知画像生成コマンド出力」（Ｓ１２０６）、「通常モード報知処理」（Ｓ１２２０）以外の処理は実施形態１又は２のいずれか１つであってよい。これらは既に述べた通りであるため、ここでの説明は省略する。本実施形態では、拡大モード報知に関する処理（Ｓ１２０３、Ｓ１２１８）と通常モード報知に関する処理（Ｓ１２０６、Ｓ１２２０）とは必ずペアで行う構成とする。すなわち、拡大モード報知を行わないときは、通常モード報知も行わない構成とする。（以下の実施形態を通じて同様である）。
【００６５】
図１３に本実施形態におけるハードウェア構成を示す。実施形態２の図１０に対し、「第二ボタン部」（１３０６）と、第二ボタン部に含まれる「第二ボタン」（１３０７）と、第二ボタンから押下信号を得てＣＰＵへボタン押下信号を送信する「ボタン信号出力器」（１３１５）と、を追加した構成となっている。
【００６６】
次に、実施形態３の処理の流れ（図１２）を、本実施形態のハードウェア構成（図１３）をもとにして説明する。
【００６７】
図１３の「ＣＰＵ」（１３１１）は、第一ボタン押下情報を得たと検知せず（Ｓ１２０１）、第二ボタン押下情報を得たと検知したとき（Ｓ１２０４）、「拡大部」（１３０２）へ通常表示コマンド出力を行う（Ｓ１２０５）。通常表示コマンドは、「通常表示させる」という情報で構成されるものとする。
【００６８】
次に、前記拡大表示コマンドに基づき、図６の「映像受信部」（０６１７）と、「拡大器」（０６２２）と、「表示信号出力部」（０６０１）とは、受信したハイビジョン映像に必要ならばコンテンツを付加し、通常表示のまま映像出力する「通常表示処理」（Ｓ１２１７）を行う。「映像受信部」（１３１７）から「拡大部」（１３０２）の「合成器」（１３２０）までの処理は、実施形態１で説明した処理と同様であるため省略する。「拡大器」（１３２２）は、ＣＰＵから得た通常表示コマンドに基づき、バックバッファの全データを「フレームバッファ」（１３２３）に転送する。フレームバッファは「表示信号出力部」（１３０１）の「出力バッファ」（１３２５）に映像出力し、出力バッファから「映像出力器」（１３２４）を通して映像が外部出力される。
【００６９】
〈実施形態３の効果〉
実施形態２の効果に加え、さらに以下の効果を奏する。
一般的に、番組表などの拡大表示機能は、ハイビジョン信号を出力して解像度の低いモニタに表示させる場合であっても、常に機能させておく（すなわち番組表などの拡大表示が選択された状態にしておく）ことは少ない。ハイビジョン信号を出力して解像度の低いモニタに表示させる場合でも、ユーザは場合に応じて番組表などの拡大表示を選択したり、通常表示を選択したりする。例えば、番組表全体を見たい場合や、一部分のみ見たい場合などがある。本実施形態では、番組表などの拡大表示から通常表示に戻す場合に第二ボタン押下のみで戻せるため、番組表などの拡大表示から通常表示に戻す場合においても、従来技術のメニュー画面の文字がつぶれて表示されて通常表示設定を選択し難いまたは選択できないという問題を回避できるという効果を奏する。
【００７０】
≪実施形態４≫
【００７１】
〈実施形態４の概要〉
【００７２】
本実施形態の概要は、前記実施形態に加え、タイマーにより拡大表示を停止させる機能を付加したことを特徴とするものである。具体的には、第一ボタン押下により番組表等を拡大表示させた後、操作キー押下や、第一ボタンの再度の押下が所定時間内に無かったとき、拡大表示を通常表示に戻す機能を付加したことを特徴とする。
【００７３】
〈実施形態４の構成〉
【００７４】
図１４に本実施形態における機能ブロック図の一例を示す。図１４に示す本実施形態の「映像出力装置」（１４００）は、「表示信号出力部」（１４０１）と、「拡大部」（１４０２）と、「第一ボタン部」（１４０３）と、「モード報知部」（１４０５）と、「第二ボタン部」（１４０６）と、「タイマー部」（１４０８）と、を有する。「第一ボタン部」（１４０３）には「第一ボタン」（１４０４）を備える。「第二ボタン部」（１４０６）には「第二ボタン」（１４０７）を備える。
【００７５】
本実施形態は、映像出力装置に「タイマー部」（１４０８）を有することを特徴とするものである。図１４は実施形態３をベースにタイマー部を付加した構成としているが、本実施形態は、これに限定されるものでは無く実施形態１から３のいずれか１つをベースとするものである。よって、タイマー部を除く各構成については実施形態１から３のどれか１つであってよい。これらは既に述べた通りであるため、ここでの説明は省略する。
【００７６】
「タイマー部」（１４０８）は拡大部を停止させる。本実施形態では、「拡大部を停止させる」処理として、ＣＰＵが「タイマー部」を制御し、「タイマー部」より、「拡大部」起動から所定時間経過したという通知を受けた後、CPUが拡大部を制御して拡大部を停止させる構成とする。
【００７７】
なお、本実施形態で「タイマー部」は「タイマー」を有し、かつ、「タイマー」はカウントダウンタイマーであるとする。すなわち、「タイマー」は、ＣＰＵによりタイマー値を受けてタイマー値を設定した後、タイマー値を０になるまでカウントダウンする。また、「タイマー」は、ＣＰＵからタイマー値を受けてタイマー値を設定する機能、タイマー値を０になるまでカウントダウンする機能、タイマー値が０になったことをＣＰＵに通知する機能をもつものである。ＣＰＵと「タイマー」とが制御／通知をしたり受けたりするための具体的構成、「タイマー」内部の具体的構成、に関しては既存技術で実現可能であるため、本実施形態では説明を省略する。
【００７８】
また、ＣＰＵには拡大モードフラグ（拡大モードのときＯＮ、通常モードのときＯＦＦに設定されるフラグ）を有するものとする。
【００７９】
以下に、タイマー機能の概要を説明する。
【００８０】
拡大モード中に操作キーが押下されたとき、又は、（通常モード中の第一ボタン押下又は拡大モード中の第一ボタン押下によって）拡大モードが発動されたとき、タイマー機能が起動される。すなわち、タイマー値がＣＰＵにより設定され「タイマー」においてタイマー値がカウントダウンされ始める。（拡大モード中の第二ボタン押下又は通常モード中の第二ボタン押下によって）通常モードが発動されたとき（すなわち第二ボタンが押下されたとき）、タイマー機能はもはや必要とされないためタイマー値がＣＰＵによりクリアされ（すなわち０に設定され）、「タイマー」ではタイマー値はカウントダウンされなくなる。拡大モード中に何も操作されずにタイムアウトしたとき、通常モードに自動的に移行する。具体的には、拡大モードフラグがＯＮ、操作キーの押下無し、第一ボタン／第二ボタンの押下無しで、「タイマー」のタイマー値が０となったとき、第二ボタン押下時と同様の処理（通常モードへの移行処理）が行われる。
【００８１】
以上のタイマー機能により、ユーザが第一ボタン押下により番組表等を拡大表示させた後、操作キー押下や第一ボタンの再度の押下が所定時間内に無いと、拡大表示が自動的に通常表示に戻されるという機能が実現できる。また、拡大表示しているときに、ユーザが操作キー押下や第一ボタンの再度の押下を所定時間内に行うと、タイマーが再起動され、自動的に戻る処理が行われないという機能も実現できる。
【００８２】
〈実施形態４の処理の流れとハードウェア構成〉
【００８３】
図１５に本実施形態における処理の流れの一例を示す。図１５は実施形態３をベースに「拡大モードフラグ＝ＯＮかつ操作キー押下判定」（（Ｓ１５１４）と「タイマー値設定」（Ｓ１５１５）、「タイマー値設定」（Ｓ１５０８）、「拡大モードフラグ→ＯＮ」（Ｓ１５０９）、「タイマー値クリア」（Ｓ１５１０）、「拡大モードフラグ→ＯＦＦ」（Ｓ１５１１）、「拡大モードフラグ＝ＯＮ判定」（Ｓ１５１２）、「タイマー値≠０判定」（Ｓ１５１３）、「タイマー値カウントダウン」（Ｓ１５１４）、を付加した構成としているが、本実施形態は、これに限定されるものでは無く実施形態１から３のいずれか１つをベースとするものである。よって、上記ステップ以外の処理は実施形態１から３のいずれか１つであってよい。これらは既に述べた通りであるため、ここでの説明は省略する。また、「モード検知部へ通常モード報知画像生成コマンド出力」（Ｓ１５０６）は実施形態１をベースとしたときは無くてもよい。
【００８４】
図１６に本実施形態におけるハードウェア構成を示す。実施形態３の図１３に対し、「タイマー部」（１６０８）と、タイマー部に含まれる「タイマー」（１６２７）と、を追加した構成となっている。
【００８５】
次に、実施形態４の処理の流れ（図１５）を、本実施形態のハードウェア構成（図１６）をもとにして説明する。
【００８６】
図１６の「ＣＰＵ」（１６１１）は、まず「タイマー」（１６２７）のタイマー値をクリアし、ＣＰＵに設定した拡大モードフラグをＯＦＦする（Ｓ１５０７）。すなわちタイマー値やフラグの初期化処理を行う。つぎに以下の処理を繰り返す。まず、拡大モードフラグがＯＮで、かつ、操作キーの押下があったとき（Ｓ１５１４）、タイマー値を設定し（Ｓ１５１５）、元に戻る。上記でないとき、かつ、第一ボタン押下情報を得たと検知したとき（Ｓ１５０１）、「タイマー値設定」（Ｓ１５０８）と「拡大モードフラグ→ＯＮ」（Ｓ１５０９）を行い、拡大表示に関する処理（Ｓ１５０２、Ｓ１５１７）と拡大モード報知に関する処理（Ｓ１５０３、Ｓ１５１８）とを行う。上記処理は実施形態１の図９で述べたものと同様な処理であり、既に説明済みなため説明は省略する。第一ボタン押下情報を得たと検知せずに、第二ボタン押下情報を得たと検知したとき（Ｓ１５０４）、「タイマー値クリア」（Ｓ１５１０）と「拡大モードフラグ→ＯＦＦ」（Ｓ１５１１）を行い、通常表示に関する処理（Ｓ１５０５、Ｓ１５１９）と通常モード報知に関する処理（Ｓ１５０６、Ｓ１５２０）とを行う。上記処理は実施形態３の図１２で述べたものと同様な処理であり、既に説明済みなため説明は省略する。第一ボタン押下の検知も第二ボタン押下の検知もなく、拡大モードフラグがＯＮで（Ｓ１５１２）、かつ、タイマー値が０のとき（Ｓ１５１４）、「拡大モードフラグ→ＯＦＦ」（Ｓ１５１１）を行い、通常表示に関する処理（Ｓ１５０５、Ｓ１５１９）と通常モード報知に関する処理（Ｓ１５０６、Ｓ１５２０）とを行う。
【００８７】
〈実施形態４の効果〉
実施形態３の効果に加え、さらに以下の効果を奏する。本実施形態では、実施形態３の機能に加え、第一ボタン押下により番組表等を拡大表示させた後、操作キー押下や、第一ボタンの再度の押下が所定時間内に無かったとき、拡大表示を自動的に通常表示に戻す機能を付加した。上記機能により、ユーザが拡大モードから通常モードへ戻し忘れることを防止できるという効果を奏する。また、拡大表示しているとき、操作キー押下や、第一ボタンの再度の押下が所定時間内にあったときは、自動的には通常表示に戻らない設定とすることで、ユーザに（頻繁に拡大モードから通常モードに自動的に戻ってしまうという）煩わしさを感じさせない、という効果を奏する。
【００８８】
≪実施形態５≫
【００８９】
〈実施形態５の概要〉
【００９０】
本実施形態の概要は、前記実施形態に加え、例えば番組表などの所定コンテンツが表示されているときのみユーザが拡大操作を行えるという機能を付加したことを特徴とするものである。
【００９１】
〈実施形態５の構成〉
【００９２】
図１７に本実施形態における機能ブロック図の一例を示す。図１７に示す本実施形態の「映像出力装置」（１７００）は、「表示信号出力部」（１７０１）と、「拡大部」（１７０２）と、「第一ボタン部」（１７０３）と、「モード報知部」（１７０５）と、「第二ボタン部」（１７０６）と、「タイマー部」（１７０８）と、「表示画面判断部」（１７０９）と、を有する。「第一ボタン部」（１７０３）には「第一ボタン」（１７０４）を備え、「条件付受付手段」（１７１０）を有する。「第二ボタン部」（１７０６）には「第二ボタン」（１７０７）を備える。
【００９３】
本実施形態は、映像出力装置に「表示画面判断部」（１７０９）と「条件付受付手段」（１７１０）とを有することを特徴とするものである。図１７は実施形態４をベースにタイマー部を付加した構成としているが、本実施形態は、これに限定されるものでは無く実施形態１から４のいずれか１つをベースとするものである。よって、表示画面判断部と条件付受付手段とを除く各構成については実施形態１から４のどれか１つであってよい。これらは既に述べた通りであるため、ここでの説明は省略する。
【００９４】
「表示画面判断部」（１７０９）は画面表示が予め定められた所定のコンテンツの表示であるか判断する。本実施形態では、「画面表示が予め定められた所定のコンテンツの表示であるか判断」するのは、ＣＰＵが、表示画面判断部を制御し、表示画面判断部から現状表示されているコンテンツ情報を得ることで、コンテンツを判断するものとする。
【００９５】
「現在表示されているコンテンツ情報」は、表示画像判断部によって保持される。具体的には、ＣＰＵが以前に表示画面判断部に含まれるコンテンツ生成器に表示すべきコンテンツを指示したとき、コンテンツ生成器はコンテンツ情報を保持し続けている。すなわち、ＣＰＵがコンテンツ生成器に表示すべきコンテンツを１度通知すれば、コンテンツ生成器は現在表示されているコンテンツ情報を保持することになる。むろん、上記と共に、又は、上記に替えてＣＰＵが、現在表示しているコンテンツの情報を保持してもよい。
【００９６】
また「現在表示されているコンテンツ情報」はコンテンツ生成器で生成されたものだけではなく、拡大部の合成器で合成される前の原画像から得たコンテンツ情報であっても良い。
【００９７】
第一ボタン部は、表示画面判断部での判断結果が所定のコンテンツの表示であるとの判断結果である場合にのみ拡大部起動の操作をユーザから受付ける「条件付受付手段」（１７１０）を有する。ここで、ＣＰＵが判断する「所定のコンテンツ」とは、例えば、１画面の文字情報量が多く1文字が小さく表示される番組表などのコンテンツなどである。「所定のコンテンツ」は、予めプログラムメモリに固定的に設定されているものであっても良いし、ユーザが任意で設定／変更できるようなものであっても良い。
【００９８】
「第一ボタン部が、拡大部起動の操作をユーザから受付ける」処理は、ＣＰＵの判断による処理が一例として考えられる。具体的には、ＣＰＵが、画面表示が所定コンテンツであると判断したときのみ、ＣＰＵが第一ボタン押下の検知をおこなう。また、第二ボタン押下の検知は、画面表示が所定コンテンツであると判断したときのみに検知する処理としても良いし、画面表示が所定コンテンツであるとの判断には関わらず常に行う処理としても良い。さらに、タイマー部は、画面表示が所定コンテンツであると判断したときのみに機能させる処理としても良いし、画面表示が所定コンテンツであるとの判断には関わらず常に機能させる処理としても良い。
【００９９】
なお、本実施形態において「第一ボタン部が、拡大部起動の操作をユーザから受付けなくする」処理は、ＣＰＵの判断による処理に限定したものではない。例えば、ＣＰＵが第一ボタン部を制御して第一ボタンの機能を停止させることで、第一ボタン押下による拡大部起動を回避する手段（電源供給ＯＦＦや制御信号カット、ボタンの機械的固定化など）が考えられる。
【０１００】
〈実施形態５の処理の流れとハードウェア構成〉
図１８に本実施形態における処理の流れの一例を示す。図１８は実施形態４をベースに「表示画面が所定コンテンツか判定」（Ｓ１８１６）を付加した構成としているが、本実施形態は、これに限定されるものでは無く実施形態１から４のいずれか１つをベースとするものである。よって、上記ステップ以外の処理は実施形態１から４のいずれか１つであってよい。これらは既に述べた通りであるため、ここでの説明は省略する。また、「モード検知部へ通常モード報知画像生成コマンド出力」（Ｓ１８０６）は実施形態１をベースとしたときは無くてもよい。
【０１０１】
図１９に本実施形態におけるハードウェア構成を示す。実施形態４の図１６に対し、「表示画面判断部」（１９０９）を追加した構成となっている。
【０１０２】
次に、実施形態５の処理の流れ（図１８）を、本実施形態のハードウェア構成（図１９）をもとにして説明する。
【０１０３】
図１９の「ＣＰＵ」（１９１１）は、タイマー値やフラグの初期化処理を行った後、「表示画面判断部」（１９０９）のコンテンツ生成器より「現在表示されているコンテンツ情報」を得て、「表示画面が所定コンテンツか判定」（Ｓ１８１６）する。ＣＰＵが表示画面が所定コンテンツと判断したときは、「拡大モードフラグ＝ＯＮかつ操作キー押下判定」（Ｓ１８１４）以下の処理を行う。上記処理以下の処理は実施形態４の図１５で述べたものと同様な処理であり、既に説明済みなため説明は省略する。
【０１０４】
〈実施形態５の効果〉
実施形態４の効果に加え、さらに以下の効果を奏する。本実施形態では、実施形態４の機能に加え、例えば番組表などの所定コンテンツが表示されているときのみユーザが拡大操作を行えるという機能を付加した。上記機能により、拡大表示を必要としないコンテンツ（例えば表示画面がハイビジョン映像のみである場合など）でのユーザの誤操作（拡大表示の操作）を回避できるという効果を奏する。
【図面の簡単な説明】
【０１０５】
【図１】実施形態１の映像出力装置による拡大画面表示の一例を表す概念図
【図２】実施形態１の映像出力装置における拡大手段の一例を表す概念図
【図３】実施形態１の映像出力装置における拡大表示用ボタンの配置の一例を表す概念図
【図４】実施形態１の映像出力装置における機能ブロックの一例を表す図
【図５】実施形態１の映像出力装置における処理の流れの一例を表すフローチャート
【図６】実施形態１の映像出力装置におけるハードウェア構成の一例を表す図
【図７】実施形態２の映像出力装置による拡大モード表示の一例を表す概念図
【図８】実施形態２の映像出力装置における機能ブロックの一例を表す図
【図９】実施形態２の映像出力装置における処理の流れの一例を表すフローチャート
【図１０】実施形態２の映像出力装置におけるハードウェア構成の一例を表す図
【図１１】実施形態３の映像出力装置における機能ブロックの一例を表す図
【図１２】実施形態３の映像出力装置における処理の流れの一例を表すフローチャート
【図１３】実施形態３の映像出力装置におけるハードウェア構成の一例を表す図
【図１４】実施形態４の映像出力装置における機能ブロックの一例を表す図
【図１５】実施形態４の映像出力装置における処理の流れの一例を表すフローチャート
【図１６】実施形態４の映像出力装置におけるハードウェア構成の一例を表す図
【図１７】実施形態５の映像出力装置における機能ブロックの一例を表す図
【図１８】実施形態５の映像出力装置における処理の流れの一例を表すフローチャート
【図１９】実施形態５の映像出力装置におけるハードウェア構成の一例を表す図
【符号の説明】
【０１０６】
０４００  映像出力装置
０４０１  表示信号出力部
０４０２  拡大部
０４０３  第一ボタン部
０４０４  第一ボタン
【図１】
2009044265.tif 000003
【図２】
2009044265.tif 000004
【図３】
2009044265.tif 000005
【図４】
2009044265.tif 000006
【図５】
2009044265.tif 000007
【図６】
2009044265.tif 000008
【図７】
2009044265.tif 000009
【図８】
2009044265.tif 000010
【図９】
2009044265.tif 000011
【図１０】
2009044265.tif 000012
【図１１】
2009044265.tif 000013
【図１２】
2009044265.tif 000014
【図１３】
2009044265.tif 000015
【図１４】
2009044265.tif 000016
【図１５】
2009044265.tif 000017
【図１６】
2009044265.tif 000018
【図１７】
2009044265.tif 000019
【図１８】
2009044265.tif 000020
【図１９】
2009044265.tif 000021